(57)【特許請求の範囲】
【請求項１】
ネットワークエレメントを電気通信システムのネットワーク管理システムに接続する方法であって、前記ネットワーク管理システムはネットワーク管理サービスを備える、前記方法において、
ネットワーク管理システムにおいて、ネットワークエレメントに含まれるサービスを該ネットワーク管理システムに登録するための登録サービスを生成し、
ネットワークエレメントと関連して、ネットワークアドレスを備え且つ前記登録サービスを識別する識別子を記憶し、
前記ネットワーク識別子によって、前記ネットワークエレメントから前記登録サービスへデータ伝送接続を確立し、
ネットワークエレメントから前記登録サービスへ登録メッセージを伝送し、これによって、ネットワークエレメントに含まれるサービスをネットワーク管理システムに登録し、
ネットワーク管理システムからネットワークエレメントへ登録メッセージを伝送し、これによって、ネットワーク管理システムに含まれるネットワーク管理サービスがネットワークエレメントに登録される、
ことを特徴とする方法。
【請求項２】
請求項１記載の方法において、少なくとも１つのネットワークエレメントからネットワーク管理システムへのデータ伝送接続を調停装置によって確立する方法。
【請求項３】
請求項２記載の方法において、ネットワーク管理システム、ネットワークエレメント、及び／又は、調停装置に含まれるサービスの機能性を、Ｃ＋＋言語のようなオブジェクト指向プログラミング言語によって構成する方法。
【請求項４】
請求項３記載の方法において、ネットワーク管理システム、ネットワークエレメント、及び／又は、調停装置に含まれるサービスに関するデータは、ＣＯＲＢＡ仕様に従うデータ伝送として伝送する方法。
【請求項５】
請求項４記載の方法において、
調停装置と関連して、接続セットアップを制御するＣＯＲＢＡ仕様に従ってセションマネジャを構成し、
登録サービスの前記ネットワーク識別子を前記セションマネジャと関連して記憶する、方法。
【請求項６】
請求項１乃至５のいずれか１項に記載の方法において、
前記ネットワークエレメントからネットワーク管理システムへのデータ伝送接続を周期的に確立し、
前記ネットワークエレメントから前記登録サービスへのデータ伝送接続を前記ネットワーク識別子によって確立し、ネットワークエレメントに含まれるサービスをネットワーク管理システムに、ネットワーク管理システムへの周期的なデータ伝送接続セットアップにおける故障に応答して登録する、方法。
【請求項７】
少なくとも１つのネットワークエレメントと、少なくとも１つのネットワーク管理システムと、ネットワークエレメントとネットワーク管理システムとの間でデータを伝送するための少なくとも１つの電気通信ネットワークとを備える電気通信システムであって、前記ネットワーク管理システムはネットワーク管理サービスを備えており、前記システムにおいて、
ネットワーク管理サービスは、ネットワークエレメントに含まれるサービスをネットワーク管理システムに登録する登録サービスを備えており、
ネットワークアドレスを備え且つ前記登録サービスを識別するネットワーク識別子は、ネットワークエレメントと関連して記憶されるよう構成されており、
前記ネットワークエレメントは、前記登録サービスへのデータ伝送接続を前記ネットワーク識別子によって確立するよう構成されており、
前記ネットワークエレメントは、登録メッセージを前記登録サービスに伝送し、これによって、ネットワークエレメントに含まれるサービスはネットワーク管理システムに登録されるよう構成されており、
前記ネットワーク管理システムは、登録メッセージをネットワークエレメントに伝送し、これによって、ネットワーク管理システムに含まれるネットワーク管理サービスはネットワークエレメントに登録されるよう構成されている、ことを特徴とするシステム。
【請求項８】
請求項７記載の電気通信システムにおいて、
前記電気通信システムは、ネットワークエレメントと作用的に接続されるように構成された少なくとも１つの調停装置を備えており、該調停装置は、少なくとも１つのネットワークエレメントからネットワーク管理システムへのデータ伝送接続を確立するよう構成されているシステム。
【請求項９】
請求項８記載の電気通信システムにおいて、
ネットワーク管理システム、ネットワークエレメント、及び／又は、調停装置に含まれるサービスの機能性は、Ｃ＋＋言語のようなオブジェクト指向プログラミング言語によって構成されるシステム。
【請求項１０】
請求項９記載の電気通信システムにおいて、
ネットワーク管理システム、ネットワークエレメント、及び／又は、調停装置に含まれるサービスに関するデータは、ＣＯＲＢＡ仕様に従うデータ伝送として伝送されるよう構成されているシステム。
【請求項１１】
請求項１０記載の電気通信システムにおいて、
調停装置と関連して、ＣＯＲＢＡ仕様によるセションマネジャは接続セットアップを制御するよう構成されており、登録サービスの前記ネットワーク識別子は、このセションマネジャと関連して記憶されているシステム。
【請求項１２】
請求項７乃至１１のいずれか１項に記載の電気通信システムにおいて、
前記ネットワークエレメントは、ネットワーク管理システムへのデータ伝送接続を周期的に確立するよう構成されており、
前記ネットワークエレメントは、前記ネットワーク識別子によって前記登録サービスへのデータ伝送接続を確立し、また、ネットワーク管理システムへの周期データ伝送接続セットアップにおける故障に応答して、ネットワークエレメントに含まれるサービスをネットワーク管理システムに再登録するよう構成されている、システム。
【請求項１３】
電気通信ネットワークのネットワーク管理のためのプログラムを記録した記録媒体において、
ネットワークエレメントと関連して、ネットワークアドレスを備え且つネットワーク管理システムに含まれる登録サービスを識別するネットワーク識別子を記憶する、コンピュータ読み取り可能な形態の手段と、
前記登録サービスに対する前記ネットワーク識別子によって実行されるデータ伝送接続を確立する、コンピュータ読み取り可能な形態の手段と、
ネットワークエレメントに含まれるネットワーク管理サービスを識別する登録メッセージを生成してネットワーク管理システムに伝送する、コンピュータ読み取り可能な形態の手段と、
ネットワークエレメントと関連して、ネットワーク管理システムから受信される登録メッセージに含まれるサービスを登録する、コンピュータ読み取り可能な形態の手段と、
を備えることを特徴とするプログラムを記録した記録媒体。
【請求項１４】
請求項１３記載のプログラムを記録した記録媒体において、
少なくとも幾つかの前記手段は、Ｃ＋＋言語のようなオブジェクト指向プログラミング言語によって構成されるプログラムを記録した記録媒体。
【請求項１５】
請求項１３または１４記載のプログラムを記録した記録媒体において、
ネットワーク管理システムへのデータ伝送接続を周期的に確立する、コンピュータ読み取り可能な形態の手段と、
前記ネットワーク識別子によって前記登録サービスへのデータ伝送接続を確立し、また、ネットワーク管理システムへの周期データ伝送接続セットアップにおける故障に応答して、ネットワークエレメントに含まれるサービスをネットワーク管理システムに再登録する、コンピュータ読み取り可能な形態の手段と、を備えるプログラムを記録した記録媒体。
【発明の詳細な説明】
【０００１】
（技術分野）
本発明は、ネットワークエレメントを電気通信システムのネットワーク管理システムに接続する方法に関し、前記ネットワーク管理システムはネットワーク管理サービスを備える。
【０００２】
本発明は更に、少なくとも１つのネットワークエレメントと、少なくとも１つのネットワーク管理システムと、ネットワークエレメントとネットワーク管理システムとの間でデータを伝送するための少なくとも１つの電気通信ネットワークとを備える電気通信システムに関し、前記ネットワーク管理システムはネットワーク管理サービスを備える。
【０００３】
本発明は更に、電気通信ネットワークのネットワーク管理のためのソフトウェア製品に関する。
【０００４】
（背景技術）
大きな電気通信ネットワークにおいて、ネットワーク動作が信頼できるものであるためには、正しく機能するネットワーク管理システムが必要である。ネットワーク管理システムは、何千個もの論理ネットワークエレメントを備えることがある大きな移動ネットワークのような無線電気通信ネットワークで特に重要である。移動ネットワークが社会一般によく知られるようになったことから、カバー領域やネットワークの容量を拡張して、様々なネットワークエレメントの数を増大させようと考えられている。
【０００５】
電気通信ネットワークへの及びネットワーク管理システムへの新たなネットワークエレメントの接続は、一般に、ネットワークエレメントがネットワークに完全に接続されて使用されるようになる前に、ネットワークエレメントとネットワーク管理システムとの間に幾つかの異なる段階で伝送すべき多量のデータを必要とする。この点で、ネットワークエレメントとメッセージ管理システムは対話式のシステムであり、それらの間ではデータ伝送接続が先ず確立され、また、それらは構成（configuration）が継続し得る前に互いにあるデータを必要とする。伝送すべきデータは、例えば、インタフェース仕様、ネットワーク管理システムとネットワークエレメントの双方によって支持されるサービスに関するデータ、様々な内部アドレスデータ、を備える。これは、インストール（設置）を実行する人が、ネットワークエレメントと、電気通信ネットワークのシステムと動作を識別する構造とに関する完全な知識を有しなければならないこと、を必要とする。
【０００６】
ネットワーク管理における、若しくは、ネットワークエレメントにおける、ある固有のエラー状況で、ネットワーク管理システムとネットワークエレメントの間の接続が切断されてしまうことがある。結果として、その後、ネットワークエレメントに含まれる少なくとも幾つかの構成（configuration）データは破壊される。このことは、破壊されたデータに関する限り、新たなネットワークエレメントが電気通信ネットワークとネットワーク管理システムに付加されるときに使用される方法と同様の方法でネットワークエレメントは手動で再構成されなければならないこと、を意味する。
【０００７】
上述した構成に伴う問題は、新たなネットワークエレメントとネットワーク管理システムとの間の接続を確立し、また、ネットワークエレメントを電気通信ネットワークに接続するための、時間のかかる、エラーの生じやすいプロセスである。このプロセスは、新たなネットワークエレメントがネットワークに接続される毎に実行されなければならない。ネットワークオペレータに関していえば、これによって、ネットワークの容量とカバー領域の拡張はかなり減速されてしまう。例えばエラー状況の結果として構成データが破壊されてネットワークエレメントが再構成されるときに時間のかかるプロセスを提供すること自体によっても、同様の問題が生じる。ネットワークエレメントをネットワークに再接続するには時間がかかる。このことは、顧客に提供されるネットワーク容量とサービスは長い間十分には活用されないことを意味する。他の問題は、インストールを行うスタッフにネットワークに関する多量の知識が必要であり、たとえ十分な訓練を受けたとしても、構成工程でエラーが生じる可能性が高いことである。
【０００８】
（発明の概要）
本発明の目的はしたがって、方法とこの方法を実行する装置とを提供し、上述した問題を改善することができるようにすることである。本発明の目的は、ネットワーク管理システムにおいて、ネットワークエレメントに含まれるサービスを該ネットワーク管理システムに登録するための登録サービスを生成し；ネットワークエレメントと関連して、前記登録サービスを識別する識別子を記憶し；前記ネットワーク識別子によって、前記ネットワークエレメントから前記登録サービスへデータ伝送接続を確立し；ネットワークエレメントから前記登録サービスへ登録メッセージを伝送し、これによって、ネットワークエレメントに含まれるサービスをネットワーク管理システムに登録し；ネットワーク管理システムからネットワークエレメントへ登録メッセージを伝送し、これによって、ネットワーク管理システムに含まれるネットワーク管理サービスがネットワークエレメントに登録される、ことを特徴とする方法によって達成される。
【０００９】
本発明の電気通信システムは、ネットワーク管理サービスは、ネットワークエレメントに含まれるサービスをネットワーク管理システムに登録する登録サービスを備えており；前記登録サービスを識別するネットワーク識別子は、ネットワークエレメントと関連して記憶されるよう構成されており；前記ネットワークエレメントは、前記登録サービスへのデータ伝送接続を前記ネットワーク識別子によって確立するよう構成されており；前記ネットワークエレメントは、登録メッセージを前記登録サービスに伝送し、これによって、ネットワークエレメントに含まれるサービスはネットワーク管理システムに登録されるよう構成されており；前記ネットワーク管理システムは、登録メッセージをネットワークエレメントに伝送し、これによって、ネットワーク管理システムに含まれるネットワーク管理サービスはネットワークエレメントに登録されるよう構成されている、ことを特徴とする。
【００１０】
本発明のソフトウェア製品は、ネットワークエレメントと関連して、ネットワーク管理システムに含まれる登録サービスのネットワーク識別子を記憶する、コンピュータ読み取り可能な形態の手段と；前記登録サービスに対する前記ネットワーク識別子によって実行されるデータ伝送接続を確立する、コンピュータ読み取り可能な形態の手段と；ネットワークエレメントに含まれるネットワーク管理サービスを識別する登録メッセージを生成してネットワーク管理システムに伝送する、コンピュータ読み取り可能な形態の手段と；ネットワークエレメントと関連して、ネットワーク管理システムから受信される登録メッセージに含まれるサービスを登録する、コンピュータ読み取り可能な形態の手段と、を備えることを特徴とする。
【００１１】
本発明の好ましい実施形態によれば、調停装置は、少なくとも１つのネットワークエレメントと作用的に接続されるように構成されており、この調停装置は更に、ネットワークエレメントとネットワーク管理システムとの間のデータ伝送接続を確立するよう構成されている。更に、本発明の好ましい実施形態によれば、電気通信システムにおけるサービスの機能性は、オブジェクト指向プログラミング言語によって構成され、これにより、本発明の好ましい実施形態によれば、ネットワーク管理システム、ネットワークエレメント、及び／又は、調停装置に含まれるサービスに関するデータは、ＣＯＲＢＡインタフェース仕様に従うデータ伝送として伝送され得る。更に、本発明の好ましい実施形態によれば、ネットワークエレメント、好ましくは、その関連の調停装置は、ネットワーク管理システムに対するデータ伝送接続を周期的に確立し、また、接続を確立することに失敗したときは、ネットワーク管理システムにネットワークエレメントに含まれるサービスを再登録するよう構成されている。
【００１２】
本発明は、ネットワーク管理システムに配置された登録サービスの識別子が、ネットワークエレメントのために、好ましくはそれに関連する調停装置のために決定され、この識別子に基づいて、ネットワークエレメント、若しくは、好ましくは調停装置は、ネットワーク管理システムに含まれる登録サービスへの接続をどのように確立するかを知り、ネットワークエレメントに含まれるサービスをネットワーク管理システムに登録する。これに応答して、ネットワーク管理システムは、ネットワークエレメントにネットワークエレメントに関連したそれ自身のサービスを登録し、その後、ネットワークエレメントは、電気通信ネットワークの制御部分として接続される。
【００１３】
本発明の方法及びシステムの利点は、新たなネットワークエレメントをネットワーク管理システムと電気通信システムに付加するための、高速且つ確実なプロセスである。本発明の他の利点は、エラー状況によって生じるネットワークエレメントの構成データの破壊からの、及び、その結果生じるネットワークエレメントとネットワーク管理システムの間の接続の故障からの、高速且つ自動的な回復である。本発明の更なる利点は、登録サービスを識別するネットワーク識別子が、ネットワークエレメントに、好ましくは、接続セットアップを開始するのに必要なその調停装置に、永久的に記憶されるべきデータの一部のみであることである。故に、インストールを行うスタッフに必要とされる仕事量は減少し、プロセスはより早くなり、ネットワークの知識に必要な量も減少する。永久的に記憶される構成データがかなり減少することから、構成データが破壊されることも少なくなる。
【００１４】
【発明の実施の形態】
好ましい実施形態との関連で、また、添付図面を参照して、本発明をより詳細に説明する。
【００１５】
図１を参照して、移動ネットワーク、特にＧＳＭネットワークの一般的なネットワーク管理システムを以下により詳細に説明する。本発明はしかしながら、無線電気通信ネットワークに制限されるものではなく、どのような電気通信システムにも使用され得る。
【００１６】
図１は、データ通信ネットワーク（ＤＣＮ）を通じて様々なネットワークエレメント（ＮＥ）に接続された、一般的な中央化型の（中央で制御される）ネットワーク管理システム（ＮＭＳ）を示す。知られているように、データ通信ネットワークは、多数の異なる方法で、例えば、回路交換パルス符号変調（ＰＣＭ）として、また、パケット交換ネットワークとして、若しくは、ＯＳＩモデルによるローカルエリアネットワークとして、実行され得る。ネットワーク管理システムは、移動サービス交換センタ（ＭＳＣ）とそれに接続されたビジター位置レジスタ（ＶＬＲ）、一般には設備識別レジスタ（ＥＩＲ）と認証センタ（ＡＣ）も備えているホーム位置レジスタ（ＨＬＲ）、基地局コントローラ（ＢＳＣ）、トランスコーダ＆サブマルチプレクサ（ＴＣＳＭ）、及びベーストランシーバステイション（ＢＴＳ）を制御し、監視するために使用される。更に、ネットワーク管理システムは、短メッセージサービスセンタ（ＳＭＳＣ）若しくはインテリジェントネットワークのサービス制御ポイント（ＳＣＰ）のような、移動ネットワークの機能に実際には含まれない制御ネットワークエレメントを制御することもできる。ネットワーク管理システムはそれ自体、一般には、複数のサーバ（Ｓ１、Ｓ２）と、インタフェースを提供するワークステイション（ＷＳ１〜ＷＳ３）を備える。一般には、少なくとも１つのサーバが、ネットワークエレメントの構成データとネットワークエレメントの動作を記述するアラーム・測定データが記憶され得るデータベースサーバ（ＤＢＳ）として確保される。
【００１７】
上述したように、電気通信ネットワークは、ネットワーク管理システムが中央化されることを要求するものではなく、電気通信ネットワークは、非中央化型のネットワーク管理システムを使用することもできる。このような場合、ネットワークは幾つかの独立したネットワーク管理システム（ＮＭＳ）を備える（これらのネットワーク管理システムは各々、ネットワークエレメントを制御するにあたり、それ自身の応答性領域を有する）。単一のネットワークエレメントはまた、他のネットワークエレメントと関連して、ネットワーク管理システムのタスクの責を負うことができる。ネットワーク管理システムはこのように、電気通信ネットワークにおけるエレメントとしてみることができる。本発明の方法は、非中央化型ネットワーク管理システムにも適用され得る。
【００１８】
以下、本発明を図２に基づいて説明する。図２において、ネットワーク管理システムＮＭＳは、データ通信ネットワークＤＣＮを通じて調停装置（mediator）Ｍに接続されている。この調停装置Ｍは更に、複数のネットワークエレメントＮＥ１、ＮＥ２…に接続されている。調停装置Ｍは、図２に示されているように、１つ若しくは２つ以上のネットワークエレメントが接続される別個のエレメントとして実行され得る。また、調停装置Ｍの機能性は、各ネットワークエレメントＮＥに別々に含まれ得る。これにより、各ネットワークエレメントは、データ通信ネットワークＤＣＮを通じてネットワーク管理システムＮＭＳに直接的に接続される。データ通信ネットワークＤＣＮは一般には、ＩＰベース（インターネットプロトコル）ネットワークとして実行される。調停装置Ｍは、ネットワーク管理システムＮＭＳとネットワークエレメントＮＥとの間のインタフェースＩＦを構成するために使用される。ネットワーク管理システムＮＭＳとネットワークエレメントＮＥの双方の機能性は、Ｃ＋＋言語のようなオブジェクト指向プログラミング言語によって構成され得る。構成された機能性はその後、好ましくは、コンピュータによって実行される（コンピュータとは、所定のプログラムにしたがってタスクを実行するなんらかのプロセッサのことである）。プロセッサに付与されたプログラムコマンドはしたがって、コンピュータ読み取り可能な形態である。オブジェクト指向プログラミング言語を使用することによって、インタフェースＩＦを好ましくはＣＯＲＢＡ（共通オブジェクトリクエストブローカーアーキテクチャ（Common Object Request Broker Architecture））インタフェースとして実行することができる。
【００１９】
ＣＯＲＢＡは、分散型プログラムを相互接続するための業界標準である。この標準によるプログラム若しくはプログラムコンポーネントは、異なるプログラミング言語で書かれ、また、異なるハードウェア及びオペレーティングシステムアーキテクチャで動かされるが、互いに通信を行うことができる。ＣＯＲＢＡは、コンポーネントの登録、局部化（localization）、起動、エラー処理、及びパラメータ伝送のためのサービスを提供する。ＣＯＲＢＡは、アーキテクチャ間でのデータフォーマットを変更に役立つ。ＣＯＲＢＡはプログラミング方法ではないが、異なるプログラミング言語とハードウェアで付与されたコンポーネント間の共通の処理メカニズムである。
【００２０】
ＣＯＲＢＡは、サーバオブジェクトがクライアントオブジェクトにサービスを提供するようなクライアントサーバアーキテクチャに基づいている。オブジェクトは、全てのプログラム若しくはプログラムコンポーネントであってもよい。オブジェクトは、同時にサーバとクライアントの双方であってもよい。クライアントコンポーネントは、インタフェース定義言語ＩＤＬを用いて、若しくは、動的呼出し（インボケーション）インタフェースＤＩＩのサービスによってサービスリクエストを動的に生成することにより、サービスを呼び出すことができる。ＩＤＬは、通信インタフェースを記述するために使用される言語である。ＩＤＬは、制御構造を何ら含んでおらず、単に、機能の導入部（イントロダクション）とインタフェースのデータタイプを含んでいるだけである。ＩＤＬ仕様は、ＩＤＬコンバータによって変換されるものであり、それは、クライアントのための仕様「スタブ（stub）」とサーバのための「スケルトン」から生成する。スタブは、クライアントのプログラミング言語の提示形態のパラメータを、ＣＯＲＢＡのコア、つまり、オブジェクトリクエストブローカＯＲＢ上でパラメータが伝送され得るような形態に、変換する機能である。クライアントコンポーネントは、スタブをその他の局部機能と同じ方法で呼び出し、また、スタブはＯＲＢインタフェース上でサービスを呼び出す。ＤＩＩはＯＲＢのインタフェースであり、これにより、クライアントを実行する際はサービスの機能とパラメータは未知であるが、クライアントはサービスを呼び出すことができる。ＤＩＩを用いて、クライアントは名前若しくはタイプに基づいてサービスをサーチすることができる。問合せに基づいて、サービスリクエストは動的に生成され、それはＤＩＩの機能によってサーバに伝送される。サーバコンポーネントは、そのインタフェースに対応する機能を実行し、ＯＲＢはスケルトンを介してそれらを呼び出す。クライアントによって使用される呼出し方法は、サーバに透過である。
【００２１】
図２は、ネットワーク管理システムＮＭＳとネットワークエレメントＮＥの間の接続セットアップの構成を簡易な方法で示す。制御されるべきネットワークエレメントＮＥとネットワーク管理システムＮＭＳとの間のデータの交換、データの信号合図を可能ならしめるための様々なネットワーク管理サービスが、ネットワーク管理システムＮＭＳで予め決定されている。登録、局部化、起動、エラー処理、及びパラメータ伝送のようなこれらの異なるネットワーク管理サービスは、好ましくはＣＯＲＢＡサービスとして実行され得る。１つのそのようなネットワーク管理サービスは、登録サービスＲＳである。このサービスのタスクとしてネットワークエレメントＮＥに含まれるサービスをネットワーク管理システムＮＭＳに登録できるようにすることがある。新たなネットワークエレメントが本発明に従ってネットワーク接続されたとき、新たなネットワークエレメントは、ネットワーク管理システムに登録しなければならない。接続セットアップを決定し、また、ＣＯＲＢＡクライアント及びＣＯＲＢＡサーバの双方として動作し得る、オブジェクト指向セションマネジャＳＭが、調停装置Ｍと関連して実行される。対応する方法では、ＣＯＲＢＡをも支持するような上述したオブジェクト指向登録サービスＲＳが、ネットワーク管理システムＮＭＳ側で登録を判定する。この登録サービスＲＳの識別子Ｉｄ（これは一般には文字列の参照によって特定されるファイル経路アドレスである）は、各調停装置Ｍ、一般にはそのセションマネジャＳＭで構成される。ネットワーク管理システムＮＭＳとネットワークエレメントＮＥの間の接続セットアップを開始するため、登録サービスの識別子Ｉｄは、好ましくは、ネットワークエレメントと関連して永久的に記憶されるべきデータの一部だけである。
【００２２】
ネットワークエレメントＮＥ、好ましくはその調停装置Ｍは、ネットワーク管理システムＮＭＳに対する、若しくは、より詳細には、その登録サービスＲＳに対する、接続を確立することによって、そのサービスの登録を開始する。調停装置Ｍは、ＣＯＲＢＡによって必要とされる形態に従って、登録サービスＲＳの識別子Ｉｄを変更し、これによって、登録サービスＲＳに対する接続を確立することができる。サービスは、新たなネットワークエレメントが電気通信ネットワークに接続される毎に登録される。登録は、好ましくは、ネットワークエレメントとネットワーク管理システムとの間の接続が切断される毎に再び行われ得る。調停装置Ｍは、ネットワークエレメントによって提供される全てのサービスに関するデータを備えるＲＭ（登録メッセージ）を生成する。登録メッセージＲＭは更に、データ通信ネットワークＤＣＮを介してネットワーク管理システムＮＭＳの登録サービスＲＳへ送られるべきＣＯＲＢＡ  ＩＤＬ言語の形態に従って変更される。
【００２３】
ＩＤＬ言語による登録メッセージＲＭは、好ましくは、明確に決定された識別データと調停装置のタイプ（つまり、どの種類のネットワークエレメントに調停装置が関連しているか）の一部のような、調停装置Ｍからのパラメータを備えることができる。更に、登録メッセージは、調停装置とネットワーク管理システムとの間の通信に関する仕様を備えていても良く、これらの仕様はまた、例えば、エラー状況後の接続再確立に関するものでもよい。ネットワークエレメントに含まれるサービスに関するデータは、サービスのタイトルと識別子を備え、それは、ネットワーク管理システムとネットワークエレメントの間のデータ伝送におけるサービス識別子として直接的に使用され得る。
【００２４】
登録サービスＲＳは、ネットワークエレメントのサービスに関する受信データをネットワーク管理システムＮＭＳに記憶する。次に、ネットワーク管理システムＮＭＳは、ネットワークエレメントの調停装置Ｍに、登録メッセージＲＭに対応するメッセージＲＮＷを伝送する。ここで、ネットワーク管理システムＮＭＳの他のネットワーク管理サービス（登録サービスに加えて）は、ネットワークエレメントの調停装置Ｍに登録される。ネットワーク管理サービスはネットワークエレメントのサービスに対して同様に特定される、他言すれば、それらの仕様は、サービス識別子として直接的に使用され得るサービスのタイトルと識別子を備える。ネットワーク管理システムＮＭＳのサービスが調停装置Ｍに登録されたとき、ネットワークエレメントＮＥはネットワーク管理システムＮＭＳに接続され、これにより、ネットワークエレメントは電気通信ネットワークの制御部分として使用される準備が整う。
【００２５】
本発明の上述した実行は、中央化型のネットワーク管理、および、非中央化型のネットワーク管理の双方に基づいて、電気通信システムに適用され得る。本発明の利点は、特に、非中央化型のネットワーク管理で強調される。そこでは、幾つかの独立したネットワーク管理システムは、それら自身の応答性（responsibility）領域を制御するが、新たなネットワークエレメントに関する多量のデータは電気通信ネットワーク中に強いて分散させられる。このような場合、ネットワーク管理システムによって制御されるべき新たなネットワークエレメントの付加、及び、エラー状況からの回復は、本発明によれば、全電気通信ネットワークの一部だけをカバーする各ネットワーク管理システムにおいて急速に発生し得る。
【００２６】
本発明の好ましい実施形態によれば、調停装置Ｍは、可能なエラー状況後のネットワークエレメントＮＥとネットワーク管理システムＮＭＳとの間の接続セットアップを担当する。幾つかのエラー状況の結果として、ネットワークエレメントＮＥの構成データは破壊されることがあり、これにより、従来例に従って、ネットワークエレメントＮＥのネットワークに対する再構成と再接続はいつも手動で実行される。本発明のこの実施形態によれば、調停装置Ｍは、ネットワークエレメントＮＥとネットワーク管理システムＮＭＳとの間の接続が切断されたことを検出する。これは好ましくは、ネットワークエレメントＮＥとネットワーク管理システムＮＭＳとの間に他のなんらかのデータ伝送が存在していようと存在していまいと、所定間隔でネットワーク管理システムに対する接続を確立するように調停装置Ｍを構成することによって実行され得る。調停装置Ｍがネットワーク管理システムに対する接続を確立することができない場合、これはエラー状況として解釈され、調停装置Ｍは好ましくは、ネットワーク管理システムＮＭＳに対する接続セットアップを試し続ける。調停装置と関連して記憶される登録サービスの識別子Ｉｄによって、正しいアドレスへの接続セットアップを試すことができる。接続がうまく確立されたとき、調停装置Ｍは、上述した登録メッセージＲＭ（これは更にネットワーク管理システムに伝送される）を生成することによって、ネットワークエレメントＮＥのサービスを登録する。ネットワーク管理システムのサービスは、上述したプロセスに従って、ネットワークエレメントＮＥにも登録される。
【００２７】
科学技術は進歩するため本発明の基本概念を多くの方法で実行できることは、当業者には明らかである。本発明とその実施形態は従って、上述した例に制限されるものではなく、添付クレームの範囲ないで変更することができる。
【図面の簡単な説明】
【図１】  電気通信ネットワークにおけるネットワーク管理システムと電気通信ネットワークにおける構成装置とを示す図である。
【図２】  ネットワークエレメントとネットワーク管理システムとの間の本発明の接続セットアップを示す図である。
【図１】
0003805197.tif 000002
【図２】
0003805197.tif 000003